(57)【要約】【課題】  一世代のみコピーが許可された情報（Copy One Generation）を、これ以上のコピーを禁止する情報（Copy No More）に書替えて記録する際の、使い勝手を向上させる。【解決手段】  記録後の所定時間以内は、一世代のみのコピーを認める（Copy One Generation）こととし、記録時の不備等で記録が中断した部分を補うようにする。また、媒体上に同一ストリームを２個記録し、一方を通常の視聴に使用し、他方を必要に応じて他の媒体へ移動して保存する。【選択図】  図５
2010250848.tif 000002
【特許請求の範囲】
【請求項１】
入力した映像情報または音声情報を含むディジタル情報を記録媒体に記録するためのデ
ィジタル情報記録装置において、
上記ディジタル情報には、該ディジタル情報を記録媒体に記録することを許すか否かを
示すコピー制御情報を含み、
上記ディジタル情報に所定の処理を行い記録媒体に記録する記録回路と、
上記ディジタル情報から、上記コピー制御情報を検出する制御検出回路と、
該制御検出回路での検出結果に基づき上記記録回路の記録動作を制御する記録制御回路
とを備え、
上記記録制御回路は、上記制御検出回路で検出したコピー制御情報に従い上記記録回路
の記録動作を制御し、
上記コピー制御情報が、一世代のみ記録を許すことを示すもの（Copy One Generation
）である場合は、上記記録回路により該コピー制御情報を、一旦、一世代のみ記録を許す
ことを示すもの（Copy One Generation）のままで記録し、規定時間が経過した後に、該
コピー制御情報を、これ以上の記録を許さないことを示すもの（Copy No More）に書替え
ることを特徴とするディジタル情報記録装置。
【請求項２】
前記したコピー制御情報の書替えまでの規定時間は、前記コピー制御情報に含まれる複
製期間の情報に従って設定することを特徴とする請求項１に記載のディジタル情報記録装
置。
【請求項３】
前記ディジタル情報を記録する際、これを暗号化する暗号化回路を備え、
前記コピー制御情報が、一世代のみ記録を許すことを示すもの（Copy One Generation
）である場合は、上記暗号化回路により記録するディジタル情報を暗号化することを特徴
とする請求項１に記載のディジタル情報記録装置。
【請求項４】
前記暗号化回路は、
乱数的に発生されるコンテンツキーに基づいて、ディジタル情報を暗号化する第一の暗
号化回路と、
当該記録装置ごとに付されるデバイスキーに基づいて、上記コンテンツキーを暗号化す
る第二の暗号化回路とを有し、
該第一の暗号化回路と第二の暗号化回路の出力を、記録媒体上に記録することを特徴と
する請求項３に記載のディジタル情報記録装置。
【請求項５】
入力した映像情報または音声情報を含むディジタル情報を記録媒体に記録するためのデ
ィジタル情報記録装置において、
上記ディジタル情報には、該ディジタル情報を記録媒体に記録することを許すか否かを
示すコピー制御情報を含み、
上記ディジタル情報に所定の処理を行い記録媒体に記録する記録回路と、
上記ディジタル情報から、上記コピー制御情報を検出する制御検出回路と、
該制御検出回路での検出結果に基づき上記記録回路の記録動作を制御する記録制御回路
とを備え、
上記記録制御回路は、上記制御検出回路で検出したコピー制御情報に従い上記記録回路
の記録動作を制御し、
上記コピー制御情報が、一世代のみ記録を許すことを示すもの（Copy One Generation
）である場合は、上記記録回路は記録媒体上に、上記ディジタル情報のストリームを複数
個記録することを特徴とするディジタル情報記録装置。
【請求項６】
映像情報または音声情報を含むディジタル情報を、複数個の同じストリームで記録され
た記録媒体から、再生するためのディジタル情報再生装置において、
上記再生されるディジタル情報には、該ディジタル情報を他の記録媒体に記録すること
を許すか否かを示すコピー制御情報を含み、
上記再生されるディジタル情報に、所定の処理を行って出力する再生回路と、
上記再生されるディジタル情報から、上記コピー制御情報を検出する制御検出回路と、
該制御検出回路での検出結果に基づき、上記再生回路の再生動作を制御する再生制御回
路と、
上記記録媒体に記録された上記ディジタル情報の、少なくとも一部を再生不能化する不
能化回路とを備え、
上記再生制御回路は、上記制御検出回路で検出したコピー制御情報に従い、上記不能化
回路の不能化動作を制御し、
上記コピー制御情報が、これ以上の記録を許さないことを示すもの（Copy No More）で
ありながら、当該再生装置に接続された記録装置に上記ディジタル情報を移動する場合は
、上記複数個のストリームのうち、１個のストリームを上記不能化回路で、再生不能化す
ることを特徴とするディジタル情報再生装置。
【発明の詳細な説明】
【技術分野】
【０００１】
本発明は映像、音声などのディジタル情報を記録する記録装置、およびその再生装置に
関わり、特に著作権者などの権限により、情報を媒体へ記録することに関し制限を与えら
れるようにした装置に関する。
【背景技術】
【０００２】
テレビジョン放送およびこれを記録し再生する装置、さらには映画ソフトなどのパッケ
ージメディアの分野では、ディジタル放送が開始され、これに対応した民生用のディジタ
ル記録再生装置が発売された。この装置で用いるパッケージソフトも近い将来現れるであ
ろう。ディジタル放送、ディジタル記録装置は、情報の伝送過程や記録再生過程での品質
劣化がない、もしくはごく少ないことが長所である。しかし、情報の良質なコピーが、著
作権者の預かり知らぬところで多数作成されて出回り、またコピーを繰返した場合、その
著作権者に利益が還元されない問題がある。
【０００３】
米国特許Ｎｏ．５，８９６，４５４では、情報に２ビットのコピー制御情報を付す方法
が開示されている。これは著作権者、情報作成者の意志により、コピー禁止、コピー認可
、一世代のみコピー認可の三つのうち、いずれかを選択することで、記録装置の動作を制
御するものである。記録装置は、コピー禁止ならば記録動作をせず、コピー認可なら記録
動作を行う。一世代のみコピーが認可されるなら、記録装置はこの制御情報を、これ以上
のコピーを認めない情報に書替えたうえで、記録動作を行う。
【先行技術文献】
【特許文献】
【０００４】
【特許文献１】米国特許Ｎｏ．５，８９６，４５４
【発明の概要】
【発明が解決しようとする課題】
【０００５】
上記従来技術で開示される事項は、著作権の有効な保護方法を与えるものである。しか
し、ユーザにとっては必ずしも使い勝手の良いものではない。一世代のみコピー認可、す
なわち Copy One Generation とされれば、ユーザはタイムシフトないし繰り返しの視聴
を行えるよう、これを媒体へ記録し、所有することができる。記録装置が複数個あれば、
その数だけ媒体を所有できる。しかし、記録する際、このコピー制御情報は、これ以上の
コピーを認めない No More Copy に書替えられてしまう。
【０００６】
No More Copy となった後は、「移動」とよばれる動作を用いて、記録媒体を変更する
ことができる。移動とは、他の媒体へ記録したうえで元の媒体上の情報を消去するという
もので、媒体の数は増さないため著作権者へ不利益を与えることはない。しかし、複数個
の記録装置のうちいずれかが、記録動作中に媒体の容量が満杯になるなどして一部分を取
り損じた場合、これをあとで修復することができない。残る装置の媒体から記録された情
報を移動して修復するなら、これを消去せねばならず、目的を達しないからである。
【０００７】
また、記録装置が、たとえばハードディスクのように取外しのできない媒体を用いてい
る場合、後日これを他の場所で再生する必要がある時、これをビデオテープ、ビデオディ
スクのように取外しのできる媒体へ移動して、持ち運ばねばならない。するとハードディ
スク上の情報は消去され、ここで視聴することはできなくなり不便である。上記従来技術
では、これらの事項については記述されていない。
【０００８】
本発明の目的は、上記した問題に鑑み、一世代のみコピーを認めるという本来の著作権
者の意図から外れることなく、これを解決する方法を提供することにある。すなわち、上
記したような、取り損じた情報の修復の不具合や、移動の動作に伴う煩わしさなどをなく
すことを目的としている。
【課題を解決するための手段】
【０００９】
上記目的を達成するために、本発明における映像情報または音声情報を含むディジタル
情報を記録媒体に記録するためのディジタル情報記録装置では、上記ディジタル情報に該
ディジタル情報を記録媒体に記録することを許すか否かを示すコピー制御情報を含んでお
り、上記ディジタル情報に所定の処理を行い記録媒体に記録する記録回路と、上記ディジ
タル情報から上記コピー制御情報を検出する制御検出回路と、該制御検出回路での検出結
果に基づき上記記録回路の記録動作を制御する記録制御回路とを備える。上記記録制御回
路は、上記制御検出回路で検出したコピー制御情報に従い上記記録回路の記録動作を制御
し、上記コピー制御情報が一世代のみ記録を許すことを示すもの（Copy One Generation
）である場合は、上記記録回路により該コピー制御情報を、一旦、一世代のみ記録を許す
ことを示すもの（Copy One Generation）のままで記録し、規定の時間を経過した後に、
該コピー制御情報を、これ以上の記録を許さないことを示すもの（Copy No More）に書替えることを特徴としている。
【００１０】
また、本発明における他のディジタル情報記録装置では、上記記録制御回路は、上記制
御検出回路で検出したコピー制御情報に従い上記記録回路の記録動作を制御し、上記コピ
ー制御情報が、一世代のみ記録を許すことを示すもの（Copy One Generation）である場
合は、上記記録回路は記録媒体上に、上記ディジタル情報のストリームを複数個記録する
ことを特徴としている。
【００１１】
また、本発明における、映像情報または音声情報を含むディジタル情報を、複数個の同
じストリームで記録された記録媒体から再生するためのディジタル情報再生装置であって
、上記再生されるディジタル情報には、該ディジタル情報を他の記録媒体に記録すること
を許すか否かを示すコピー制御情報を含んでおり、上記再生されるディジタル情報に、所
定の処理を行って出力する再生回路と、上記再生されるディジタル情報から、上記コピー
制御情報を検出する制御検出回路と、該制御検出回路での検出結果に基づき、上記再生回
路の再生動作を制御する再生制御回路と、該記録媒体に記録された前記ディジタル情報の
、少なくとも一部を再生不能化する不能化回路とを備える。上記再生制御回路は、上記制
御検出回路で検出したコピー制御情報に従い上記不能化回路の不能化動作を制御し、上記
コピー制御情報が、これ以上の記録を許さないことを示すもの（Copy No More）でありながら、当該再生装置に接続された記録装置に上記ディジタル情報を移動する場合は、上記複数個のストリームのうち、１個のストリームを上記不能化回路で、再生不能化することを特徴としている。
【発明の効果】
【００１２】
以上述べたように本発明においては、コピー制御情報が Copy One Generation とされ
た情報を記録する際に、一部記録し損じた部分を補い、また他の媒体へバックアップを取
った上で、ハードディスク上の情報で視聴することが可能となる。このため、装置の使い
勝手を向上する効果がある。
【図面の簡単な説明】
【００１３】
【図１】本発明を適用するディジタル情報送受信記録システム全体の一実施形態を示すブロック図。
【図２】図１における放送局などの情報提供局１の構成の一例を示すブロック図。
【図３】図１における受信装置３の構成の一例を示すブロック図。
【図４】本発明における制御情報信号の構成の一例を示すブロック図。
【図５】図１における記録再生装置４の構成の一例を示すブロック図。
【図６】図５の記録再生装置の記録媒体の周辺を示すブロック図。
【図７】図５の暗号化回路４１０３の一つの構成例を示す回路ブロック図。
【発明を実施するための形態】
【００１４】
以下、本発明の実施形態を、必要に応じて図面を用いながら説明する。本発明は、主に
は一世代のみコピーを許された情報の記録再生装置での扱いに関するものであるが、その
説明の前に本発明を適用するシステム全体から述べる。
【００１５】
図１は、本発明で用いるシステム全体の実施形態を示すブロック図であって、放送で情
報を送受信し、また記録再生する場合を例にとって示したものである。これには、本発明
を適用した装置が含まれている。１は放送局などの情報提供局、２は中継局、３は受信装
置、４は受信装置３に内蔵される第一の記録再生装置、５はディスプレイ、６は第二の記
録再生装置である。なお、ここで放送などを記録する際は、第一の記録再生装置４、第二
の記録再生装置６のいずれか、あるいは双方に記録することができる。また、第一の記録
再生装置４は記録媒体としては、たとえばハードディスクなど取外しのできないものであ
って良い。ビデオディスク、ビデオテープなど取外しのできるものでも良いが、受信装置
に内蔵する記録再生装置は、情報を比較的短い期間保存する場合に用いられることがあり
、取外しのできないものでも使用できる。また、本実施例では、第一の記録再生装置４は
受信装置３に内蔵されるものとして、以下の説明を行うが、これは必ずしも必要条件では
なく、受信装置３に外付けされるものとしても、本発明は適用できる。
【００１６】
放送局など情報提供局１は、たとえば放送用衛星などの中継局２を介して、情報によっ
て変調された信号電波を伝送する。勿論、それ以外のたとえばケーブルによる伝送、電話
線による伝送、地上波放送による伝送などを用いても良い。受信側の受信装置３で受信さ
れたこの信号電波は、後に述べるように、復調されて情報信号となった後、必要に応じ、
第一の記録再生装置４ないし、第二の記録再生装置６へ記録するに適した信号となって記
録される。また、ディスプレイ５へ送られる。ここでユーザは、情報内容を直接視聴する
ことができる。また、上記した第一の記録再生装置４、第二の記録再生装置６で再生され
た情報は、受信装置３を介してディスプレイ５へ与えられ、元の映像音声などの情報が視
聴される。情報が予め記録された取外し可能な記録媒体が提供される時は、これを取付け
た、たとえば第二の記録再生装置６での再生動作以降が行われる。なお、装置間の情報の
授受はディジタル信号で行われることが多いが、たとえば受信装置３とディスプレイ５の
間は、アナログ信号で接続することもある。
【００１７】
図２は、上記システムのうち、放送局などの情報提供局１の構成例を示すブロック図で
ある。１１はソース発生部、１２はＭＰＥＧ方式等で圧縮を行うエンコード回路、１３は
スクランブル回路、１４は変調回路、１５は送信アンテナ、１６は管理情報付与回路、１
７は入力端子である。
【００１８】
カメラ、記録再生装置などから成るソース発生部１１で発生した映像音声などの情報は
、より少ない占有帯域で伝送できるよう、エンコード回路１２でデータ量の圧縮が施され
る。必要に応じてスクランブル回路１３で、特定の視聴者のみが視聴可能となるように伝
送暗号化される。変調回路１４で伝送するに適した信号となるよう変調された後、送信ア
ンテナ１５から、たとえば放送用衛星などの中継局２に向けて電波として発射される。こ
の際管理情報付与回路１６では、前記したコピー制御情報を始め現在時刻等の情報を付加
する。また入力端子１７からは、先の図１では省略したが、たとえばリクエスト情報が電
話回線などを介して入力される。これはビデオオンデマンドなど、視聴者のリクエストに
応えて送出する情報を決定するシステムで活用される。
【００１９】
なお、実際には一つの電波には複数の情報が、時分割、スペクトル拡散などの方法で多
重されることが多い。簡単のため図２には記していないが、この場合、ソース発生部１１
とエンコード回路１２の系統が複数個あり、エンコード回路１２とスクランブル回路１３
との間に、複数の情報を多重するマルチプレクス回路が置かれる。
【００２０】
図３は、図１のシステムにおける受信装置３の構成の一例を示すブロック図である。３
０１はＲＦ／ＩＦ変換回路、３０２は復調回路、３０３は誤り訂正回路、３０４は信号に
施された伝送暗号を解除するデスクランブル回路、３０５は第一のデマルチプレクス回路
、３０６は入出力端子、３０７は第二のデマルチプレクス回路、３０８はデコード回路、
３０９，３１０は出力端子である。４は第一の記録再生装置であり、図１で記したとおり
、受信装置３に内蔵されることがある。
【００２１】
ＲＦ／ＩＦ変換回路３０１には、たとえば放送用衛星などの中継局からの電波が入力さ
れる。ここでＲＦ帯域の電波はＩＦ帯域 (Intermediate Frequency) に周波数変換され、
また受信チャネルに依存しない一定の帯域の信号となり、復調回路３０２で伝送のために
施された変調操作が復調される。さらに誤り訂正回路３０３で、伝送途中で発生した符合
の誤りが検出さらには訂正された後、デスクランブル回路３０４で伝送暗号の解除を行う
。その後、第一および第二のデマルチプレクス回路３０５および３０７へ送られる。上記
したとおり、特にディジタル放送の場合、一つのチャネルには複数の情報が、時分割、ス
ペクトラム拡散などの方法で多重されることが多い。デマルチプレクス回路は、これから
所望の情報だけを分離するものである。第一、第二とこれを二つ設ける理由は、いわゆる
裏番組記録を可能にするのみならず、第一のデマルチプレクス回路３０５で、記録に値し
ない情報を除去するためである。すなわち、情報の中には天気予報、番組の放送予定など
の付加情報が付されていることが多く、これは放送時点で見るなら良いが、記録して後日
見るには値しないため、ここで除去することも可能にしている。
【００２２】
第一のデマルチプレクス回路３０５の出力は、第一の記録再生装置４へ与えられ、必要
に応じて、その記録媒体へ記録される。また入出力端子３０６へも与えられ、ここに接続
される第二の記録再生装置６と信号の授受を行う。入出力端子３０６は双方向の端子であ
って、第二の記録再生装置６との間で、記録再生する情報などをたとえばディジタルデー
タで授受する。もちろん必ずしも一本の情報ラインが双方向となっていなくとも良く、複
数の単方向ないし双方向の情報ラインで構成されていても良い。一般にはＩＥＥＥ１３９
４規格による接続が多く用いられる。さきの第二のデマルチプレクス回路３０７には、デ
スクランブル回路３０４から送られた情報、第一の記録再生装置４で再生された情報、あ
るいは、入出力端子３０６からの第二の記録再生装置６で再生された情報が接続されてお
り、そのいずれか視聴したい情報が選択され、さらに所望の情報を分離する。次のデコー
ド回路３０８では、伝送前に施された動画像のデータ圧縮がデコードされ、出力端子３０
９を介して外部のディスプレイ５へ送られる。出力端子は３０９，３１０の二つを備え、
一方をディジタル出力、他方をアナログ出力としても良い。
【００２３】
次に図４は、本実施形態において、図１の第一の記録再生装置４、ないし第二の記録再
生装置６で、記録媒体へ記録する制御情報信号の一構成例を示すブロック図である。これ
は、図２の情報提供局１の管理情報付与回路１６で発生されて伝送された制御情報に、記
録再生装置などで情報を追加、あるいは書替えして形成されるものである。たとえばテー
プ媒体の場合、一つの記録トラックに一個記録されれば充分であるが、当然ながら映像音
声などの情報データとは決まった関係で記録され、再生時容易に分離できるようになされ
る。
【００２４】
プログラム番号１００は、その媒体で何番目のプログラムであるかを示す。セクタ情報
１０１は、プログラムを所定の単位で分割したセクタの番号である。分割は、固定の単位
、たとえば２ｋバイト単位に分割してもよいし、情報の一定単位、たとえば、エンコード
する時の分割の単位でもよい。また、番号はプログラム内で付けてもよいし、記録媒体全
体での通し番号でもよい。後述する記録時刻１０６等の情報は、このセクタ単位で付加さ
れる。
【００２５】
時間情報１０２は、その記録部分がそのプログラム開始後、どれだけ経ているかを示す
。種類１０３は、そのプログラムが販売されたものか、レンタルか、自作か、放送からか
などの属性情報を示す。
【００２６】
コピー制御１０４は、その情報を媒体に記録して良いか否かを示す。一般的には、Copy Never（コピー禁止），Copy One Generation（一世代のみコピーを認める），Copy No More（Copy One Generationで一回コピーされたもので、これ以上はコピーできない），Copy Free（コピーして良い）といった指定がある。
【００２７】
Copy Never、Copy One Generation、Copy Freeの指定は、情報の作成者など著作権者が、３つのうちいずれかを選択して決めるものであり、放送では、さきの管理情報付与回路１６で与えられることが多い。情報ソフトが記録媒体で与えられる場合は、その権利者が作成時に記録する。Copy No Moreは、元は Copy One Generation であったものをコピーした際に、このように装置で書替えたものである。
【００２８】
計４つの状態があるので、２ビットの情報で伝送できる。Copy Never は（１，１）、Copy One Generation は（１，０）、Copy No More は（０，１）、Copy free は（０，０）などとする。
【００２９】
Copy Never は記録できず、Copy One Generation は Copy No More と書替えて記録するので、記録媒体上では、基本的には Copy No More と Copy Free の２つの状態があり得る。なお本発明においては、記録媒体上でも Copy One Generation である場合があるが、これについては後記する。
【００３０】
ＡＰＳ１０５は、アナログ記録機器へのコピー制御情報（ＡＰＳ； Analogue Protecti
on System）であり、アナログ映像信号への擬似シンクパルスの追加等によりコピーの可
否を制御する。記録時刻１０６は、たとえば、図２の管理情報付与回路１６で与えられた
時刻を記録する。記録時刻１０６の記録は、たとえばセクタ単位で行われる。
【００３１】
複製期間１０７は、コピー制御情報１０４が記録媒体上で Copy One Generation であ
る期間を定める。これについては後に述べる。放送方式１０８は、ＨＤ情報（ＨＤ；High
Definition；高精細）、ＳＤ情報（ＳＤ；Standard Definition；標準精細）など、その
情報が用いている放送方式を示す。
【００３２】
暗号化１０９は、記録した情報に暗号化を施したか否かを示す。ユーザ識別１１０は、
その媒体に記録した情報を、記録時と同じ装置あるいは同じユーザでしか再生できなくす
るなどのために、ユーザ固有のコードを用いる際に記録される。
【００３３】
暗号化情報１１１は、暗号化して記録された情報を再生し、暗号を復号する際に使われ
る。情報そのもののデータ量が多い時は、コード番号を記録しておき、再生装置で予め記
憶された対応する情報を引き出して使うようにしてもよい。
【００３４】
以上は必要に応じ映像のフレーム毎、或いは決まった量のデータ毎など比較的細かい時
間間隔で記録される。上記した構成要素のうち、特に１０３から１０８で示したものは、
放送の場合、送信する側で予め付加することが多い。図４で示した制御情報信号の構成は
一例であり、構成、媒体上での記録位置、頻度など様々なものが適用可能である。また本
発明において、その内容は全てが必須ではなく、いくつかが省略されていても良い。順番
がこれに限定されないことは勿論である。
【００３５】
次に図５、図６を用いて、記録再生装置の記録再生動作を述べながら、本発明の主な実
施形態を説明する。さきに示した第一の記録再生装置４と第二の記録再生装置６とは、基
本的なブロック構成は同様であって良く、その例をここに示している。
【００３６】
まず記録再生装置は、ディジタル伝送あるいは放送された圧縮ビットストリームをその
まま記録する、主には最近の、あるいは今後現れるディジタル記録方式によるものが相応
しい。この場合、受信装置３と第二の記録再生装置６との情報の授受は、前記したとおり
ＩＥＥＥ１３９４規格などによりディジタルで行うのが良い。また、その記録媒体はテー
プのみならず、ディジタルビデオディスクなどの取外し可能なディスク、ハードディスク
などの装置に内蔵されたディスクなど、様々なものが可能である。
【００３７】
図５は、記録再生装置の回路ブロック図である。特に記録媒体として、ディスクを用い
るものに適している。４１は記録回路、４１０１は記録する信号の入力端子、４１０２は
半導体メモリなどの記憶手段、４１０３は暗号化回路、４１０４は暗号化キーの入力端子
、４１０５は記録符号化回路、４１０６は記録媒体へ記録する信号の出力端子、４１０７
は媒体検知回路、４１０８は制御検出回路、４１０９は記録制御回路、４１１０は制御信
号の入出力端子、４１１１は制御信号の出力端子である。また、４２は再生回路、４２０
１は再生信号の入力端子、４２０２は再生復号回路、４２０３はブロック再生回路、４２
０４は半導体メモリなどの記憶手段、４２０５は誤り訂正回路、４２０６は暗号復号回路
、４２０７は暗号を復号するキーの入力端子、４２０８は信号出力回路、４２０９は受信
機などへ再生信号を送る出力端子、４２１０は制御信号の検出回路、４２１１は時計、４
２１２は再生制御回路、４２１３は制御信号の入出力端子、４２１４は制御信号の出力端
子である。
【００３８】
図６は、記録再生装置の記録媒体の周辺を示すブロック図である。４３は記録再生部、
４３０１は入力端子、４３０２は記録増幅器、４３０３はハードディスク、ビデオディス
ク、ビデオテープなどの記録媒体を搭載した記録媒体ドライブ、４３０４は再生増幅器、
４３０５は出力端子、４３０６は機構制御回路、４３０７は入力端子である。
【００３９】
まず、図５を用いて動作の説明を行う。記録回路４１から述べる。入力端子４１０１か
らは、記録する情報が入力される。これは、さきの図３の入出力端子３０６から供給され
るものである。デスクランブル回路３０４で伝送暗号を復号した後の情報であるが、もち
ろん、これを復号せずに供給される場合も本発明の範疇にある。なお、後に述べる再生回
路４２で再生した情報の出力端子４２０９の出力も、図３の入出力端子３０６へ与えられ
る。従って、４１０１と４２０９とを一つにし、入出力端子としても良い。もちろん、こ
れは必ずしも中の信号線が一本ということではなく、複数の単方向ないし双方向の信号線
であって良い。ＩＥＥＥ１３９４規格で規定するものでも良い。
【００４０】
入力された情報は、一旦、記憶手段４１０２にブロック毎に蓄積される。これには、映
像音声などのディジタル情報のほか、たとえば図４で示したような様々の制御情報が付さ
れている。放送の場合、たとえば図２の管理情報付与回路１６で付与されたものである。
これは制御検出回路４１０８に与えられ、前記したコピー制御１０４をはじめ、たとえば
図４で示したような制御情報などが検出される。これを基に記録制御回路４１０９では、
この信号を記録して良いか否か、記録する際に暗号化するか否かなどを判断し、その結果
を暗号化回路４１０３と、記録符号化回路４１０５へ送る。
【００４１】
一方、記憶手段４１０２の映像音声などの情報は、暗号化回路４１０３において、記録
制御回路４１０９からの制御信号に従い、必要に応じて暗号化が行われる。暗号化は、た
とえば入力端子４１０４からの情報に基づいて行われる。これは、装置の識別番号などの
デバイスキー、ユーザの所持するＩＣカードを装置に装着して読み取られた個人ＩＤなど
のユーザキー、あるいは記録する情報（コンテンツ）ごとに乱数的に発生させたコンテン
ツキーなどが用いられる。本発明は主に、コピー制御情報が Copy One Generation であ
る場合を対象としているが、これは高いセキュリティを要求されるため、第三者に使用さ
れないよう、暗号化して記録することが多い。
【００４２】
図７は、暗号化回路４１０３の一つの構成例を示す回路ブロック図である。４１０３１
は入力端子、４１０３２は第一の暗号化回路、４１０３３は第二の暗号化回路、４１０３
４は多重回路、４１０３５は入力端子、４１０３６は出力端子である。入力端子４１０４
は図６で示したものと同じである。ここから入力された上記のコンテンツキーは、第一の
暗号化回路４１０３２と、第二の暗号化回路４１０３３に与えられる。入力端子４１０３
１への情報は、図６の記憶手段４１０２から与えられ、第一の暗号化回路４１０３２で上
記コンテンツキーに基づいて暗号化される。一方、入力端子４１０３５から上記デバイス
キーが与えられ、第二の暗号化回路４１０３３へ送られる。コンテンツキーは、第二の暗
号化回路４１０３３で上記デバイスキーに基づいて暗号化される。これを多重回路４１０
３４で先の情報に多重し、即ち図４の暗号化情報１１１に格納する。このため、記録する
情報は、キー情報を伴って出力端子４１０３６より図６の記録符号化回路４１０５へ供給
される。このようにすれば再生する際に、決まった装置だけでコンテンツキーを復号し、
さらに情報を復号して視聴できるようになり、不特定多数者の利用を阻止できる。また、
前記したように、コピー制御情報が No More Copy となった情報を再生し、他の記録媒体へ移動する時など、元の媒体上の情報を消去することがあるが、本発明では、記録媒体上の暗号化されたコンテンツキーを消去するだけでも目的を達成でき、動作の簡単化を図ることができる。暗号化は、プログラム（コンテンツ）単位で行ってもよいが、同じコンテンツの中で、時間とともにキーを変え、たとえばセクタ単位でキーを変えて行っても良い。
【００４３】
暗号化された情報は、記録符号化回路４１０５に与えられる。記録符号化回路４１０５
では、記録制御回路４１０９からの制御情報に基づき、記録が禁止された場合はここで情
報を遮断し、許された場合は使用する媒体に適した変調を施し、出力端子４１０６へ出力
する。コピー制御情報が Copy Neverないし Copy No More であれば、情報はここで遮断される。Copy Free であれば、そのまま変調を施し、出力端子４１０６へ送られる。
【００４４】
また、Copy One Generation であれば、従来は、このコピー制御情報を記録符号化回路
４１０５でCopy No More と書替えてから、変調を施し出力端子４１０６へ送ることが一
般的である。本発明においては、Copy One Generation の情報を記録する際に、記録した
後規定の制限時間（たとえば９０分ないし１２０分）の間だけ Copy One Generation の
状態とし、規定時間経過後に、No More Copy と書替えるようにする。Copy One Generation の情報全てをこのように扱っても良く、また、図４の複製期間１０７に制限時間が指定された場合のみこの扱いをしても良い。これの活用方法については後記する。
【００４５】
記録制御回路４１０９から記録符号化回路４１０５へは、コピー制御情報のほかに、時
計４２１１から出力される記録時の現在時刻も与えられており、記録が可能な場合には、
必要に応じて、これも同時に記録する。現在時刻は、受信した情報に含まれている場合は
それを用いてもよいし、また、受信した情報で時計４２１１を校正するようにしてもよい
。上記した例の場合、Copy One Generation の情報を記録した後、規定の制限時間を経過
したことを検知した際に、記録符号化回路４１０５はそのコピー制御情報を No More Copy と書替える。
【００４６】
また、記録符号化回路４１０５は図４の暗号化情報１０９を、たとえば暗号化を行った
場合は「１」、行わない場合は「０」とする。このようにすれば、再生を行う時暗号の復
号を要するか否かを容易に判断できる。
【００４７】
さらに、出力端子４１０６の情報信号は、図６に示した記録再生部４３の入力端子４３
０１へ与えられる。これはレーザ発生素子や磁気ヘッドを駆動できるよう、記録増幅器４
３０２で増幅された後、記録媒体ドライブ４３０３で上記したような記録媒体へ記録され
る。４３０６は、記録媒体ドライブ４３０３を駆動するモータなどの機構制御回路であっ
て、入力端子４３０７からの制御信号で記録媒体を制御する。
【００４８】
なお、さきに示した図５の記録制御回路４１０９の出力は、出力端子４１１１に与えら
れている。必要に応じ、これを図６の入力端子４３０７へ与え、たとえば記録が禁止され
た情報が入力された時に、機構制御回路４３０６へ記録動作を停止するよう指示しても良
い。また、図６の入出力端子４１１０では、外部の装置との制御信号の入出力を行う。た
とえば、以上述べたような制御情報を、制御検出回路４１０８で検出せずに、映像音声な
どのデータとは別に外部から与える方法もあり、この際に活用される。ＩＥＥＥ１３９４
規格に従って、入力端子４１０１、４２０９と共用することもできる。
【００４９】
次に、記録した情報を再生する時の動作を説明する。図６の記録媒体ドライブ４３０３
から再生された情報信号は、再生増幅器４３０４で後段での信号処理が可能なレベルまで
増幅された後、出力端子４３０５へ出力される。入力端子４３０７には、図６の出力端子
４２１４からの制御信号が入力され、機構制御回路４３０６を制御する。これは再生制御
回路４２１２で生成したものである。さきの記録制御回路４１０９と、この再生制御回路
４２１２は、実際には同一の半導体デバイス上にあるのが普通であり、この場合、４１１
１と４２１４の出力端子は共通にできる。
【００５０】
図６の出力端子４３０５の情報信号は、図５の再生回路４２の入力端子４２０１へ与え
られる。これは再生復号回路４２０２に供給される。ここでは媒体に記録再生するために
記録側で施した変調が復調され、波形を等化しクロックでデータを確定する。次にブロッ
ク再生回路４２０３で同期信号、ＩＤ信号などの検出を行い、これをもとに再生データは
記憶手段４２０４の所定の位置に一旦格納される。誤り訂正回路４２０５は格納されたデ
ータより演算操作で、記録再生過程で発生した符合の誤りを検出し、正しい値に訂正する
。誤り訂正後のデータは、暗号復号回路４２０６へ与えられる。これは、記録時にさきの
暗号化回路４１０３で行われた、記録暗号化を復号するためのものである。ここで、入力
端子４２０７からの装置のデバイスキー、個人ＩＤなどユーザキー、あるいはコンテンツ
キーなどによって、復号が行われる。これが所定のものでなければ、正常な暗号の復号は
行われず視聴することはできない。従って、記録した装置ないしユーザが視聴することは
可能であるが、記録した媒体を他の装置ないしユーザが再生し、視聴することは極めて困
難となる。なお、入力端子４２０７からの復号キーは、記録媒体上にある図４の暗号化情
報１１１から得たもの、あるいは、ここから暗号を復号して得たものであっても良い。
【００５１】
一方、さきの誤り訂正を施されたデータより、制御信号の検出回路４２１０で、たとえ
ばコピー制御情報、記録時の時刻などが検出される。次に再生制御回路４２１２では、検
出されたこれらの情報のほか、時計４２１１からの現在時刻などをもとに、再生出力の可
否を判断し、信号出力回路４２０８の出力を制御する。あるいは、暗号復号回路４２０６
を動作ないし停止させる。これは本発明では詳しく述べていないが、たとえば、再生し視
聴する期間に時間制限があり、これが過ぎている場合、また、複製期間を超過したにもか
かわらず、コピー制御情報が Copy One Generation を示すなどして、違法な方法で記録
されたと判断できる場合などは、信号出力回路４２０８から、少なくも正常に視聴できる
情報は出力しないようにする。必要に応じて、出力端子４２１４から図７の入力端子４３
０７へ制御情報を送り、記録媒体ドライブ４３０３自体の再生動作を停止しても良い。
【００５２】
再生した情報を出力することを認められた時は、この情報は出力端子４２０９へ与えら
れ、図１の受信装置３を介して、ディスプレイ５へ供給される。図２のエンコード回路１
２で施された、ＭＰＥＧなどによるデータ量の圧縮操作は、受信装置３のデコード回路３
０８で、元に戻される。このため、ユーザは情報内容を視聴することができる。デコード
回路３０８は、ディスプレイ５に内蔵されることもある。
【００５３】
なお、コピー制御情報などが、ここまで述べたものと異なり、電子透かしとして映像情
報中に埋め込まれているときには、再生時に、この電子透かしから検出した情報を使って
同様の制御を行っても良い。
【００５４】
時計４２１１は、当然ながらある程度の正確さが要求される。ユーザの悪意で容易に変
えられるものでは目的を果たさない。放送局などからの時間情報で制御のかかるものであ
ることが望ましい。故意に時刻を変えた場合、以後は装置が動作しないようにしても良い
。
【００５５】
入出力端子４２１３は、外部の装置と制御情報の授受を行うものである。たとえば再生
した情報を、さらに外部の記録装置へ記録する場合などに活用される。入出力端子４１１
０と４２１３とは共通化できる。また、たとえばＩＥＥＥ１３９４規格に従い、入力端子
４１０１、出力端子４２０９の情報も含め、一系統で授受し、あるいは赤外線などを用い
て無線で授受することができる。
【００５６】
再生制御回路４２１２から記録符号化回路４１０５へ与えられる制御信号は、たとえば
再生時の情報の消去を指示するものである。たとえば「移動」を行う場合、前記したとお
り、再生後に消去する必要がある。この時、この制御信号に従い、記録符号化回路４１０
５は情報として意味のない信号を発生し、媒体上に記録することで情報を消去する。ある
いは、暗号化キーなどの暗号化情報を消去する。この場合、記録媒体は消去可能なもので
なければならない。媒体検知回路４１０７は、このために設けられており、ＣＤ−Ｒなど
記録した情報の消去が不可能な媒体を取付けた際には、移動の動作を阻止するようにして
いる。
【００５７】
以上が、図５と図６の基本的な動作説明である。本実施形態では、コピー制御情報が Copy One Generation である情報を記録する際に、記録媒体上で規定の制限時間だけ Copy One Generation のままとしたが、その効果をここで述べる。
【００５８】
図１で第一の記録再生装置４が受信装置３に内蔵され、記録媒体が、ハードディスクの
ように装置から通常は取外ししないものであったとする。また、第二の記録再生装置６は
、記録媒体が、ビデオテープ、ビデオディスクのように装置から取外せるものであったと
する。前者は、相当数のプログラム（コンテンツ）を記録できるが、媒体の取外しはしな
いため、一度容量が満杯となれば、たとえば不要なものから消去し新しい情報を上書きす
る。後者は、媒体を取外せる代わりに、１つの媒体に数個程度のプログラムしか記録でき
ない場合が多い。したがって、前者は多くの場合、１つのプログラムを連続して記録する
ことは問題なく可能であるが、長く保存するには不向きである。但し保存している間は、
再生する際に、媒体を探して取付ける手間が不要な点で便利である。後者は保存には便利
であるが、１つのプログラムの記録途中で容量が満杯となることがあり、媒体を交換する
間だけ、記録が中断する問題がある。双方の装置で記録したとしても、従来は、Copy One Generation は Copy No Moreと書替えて記録したため、記録した後に、前者の情報を後者へ移動して中断した分を補うと、前者の情報が消去されてしまう。
【００５９】
本実施形態によれば、Copy One Generation の情報も、規定の制限時間以内では記録媒
体上でCopy One Generation の状態で残るため、プログラムの記録を終了した後、すぐに
前者から後者へコピーすれば、前者の情報を消去することなく、後者の中断を補うことが
できるという効果がある。このような目的から考え、制限時間は９０分から１２０分が適
当である。
【００６０】
なお、Copy One Generation は、文字通りその情報の一世代目まではコピーを許すとい
うことであり、１回のみコピーを許す Copy Once とは異なる。したがって、１人のユー
ザが２台の装置で同時に記録することは認められている。
【００６１】
次に本発明の他の実施形態を述べる。これは図１において、たとえば第一の記録再生装
置４を用いて、コピー制御情報が Copy One Generation である情報を、複数個の同じス
トリームで記録することを特徴としている。この際は媒体上で、やはり制限時間の間だけ
Copy One Generation のままとしても良く、また最初から No More Copy と書替えて記
録しても良い。記録用のレーザ装置を複数個有すなど、方法はいくつか考えられる。この
ようにすれば、媒体上のコピー制御情報が Copy No More であっても不具合はなくなる。
すなわち、１つのストリームは、必要に応じて後に第二の記録再生装置６へ移動する。こ
の際、第一の記録再生装置４の１つのストリームは消去されるが、残るストリームを再生
することで視聴することができる。特に、第一の記録再生装置４の記録媒体がハードディ
スクである場合など、通常はこれを用いて視聴すれば、媒体を探して取付ける手間が不要
な点で便利である。また、１つのストリームを残した状態で他の記録媒体へバックアップ
をとることができるうえ、ハードディスク上のストリームが全て消去された後も、このバ
ックアップを用いて視聴することができるという効果がある。もちろんこの場合も、１人
のユーザが複数台の装置で同時に記録する場合と等価であり、制約上の問題はない。
【符号の説明】
【００６２】
１・・・・・・放送局などの情報提供局１６・・・・・管理情報付与回路１０４・・・・
コピー制御１０７・・・・複製期間２・・・・・・中継局３・・・・・・受信装置４・・
・・・・第一の記録再生装置４１・・・・・記録回路４１０３・・・暗号化回路４１０３
２・・第一の暗号化回路４１０３３・・第二の暗号化回路４１０８・・・制御検出回路４
１０９・・・記録制御回路４２・・・・・再生回路４２０６・・・暗号復号回路４２１０
・・・制御検出回路４２１２・・・再生制御回路４３・・・・・記録再生部５・・・・・
・ディスプレイ６・・・・・・第二の記録再生装置
【図１】
2010250848.tif 000003
【図２】
2010250848.tif 000004
【図３】
2010250848.tif 000005
【図４】
2010250848.tif 000006
【図５】
2010250848.tif 000007
【図６】
2010250848.tif 000008
【図７】
2010250848.tif 000009
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
映像情報または音声情報を含むディジタル情報を記録媒体に記録再生するディジタル情報記録再生装置において、
前記ディジタル情報と、前記ディジタル情報のコピーの制限を示すコピー制御情報と、第２の制御情報とを受信する受信手段と、
受信した前記ディジタル情報を前記記録媒体に記録再生する記録再生手段と、
前記記録再生手段の記録再生動作を制御する制御手段とを備え、
前記制御手段は、
前記記録再生手段において、受信した前記ディジタル情報を前記記録媒体に記録するように制御し、
前記記録再生手段において前記記録媒体に記録した前記ディジタル情報を再生する際に、前記第２の制御情報に応じて、
再生した前記ディジタル情報の第２の記録媒体へのコピーを許す第１の制御状態と、
再生した前記ディジタル情報の第２の記録媒体へのコピーを許さない第２の制御状態とを有することを特徴とするディジタル情報記録再生装置。
【請求項２】
映像情報または音声情報を含むディジタル情報を記録再生装置において記録再生するディジタル情報記録再生方法において、
前記ディジタル情報を受信し、
前記ディジタル情報のコピーの制限を示すコピー制御情報を受信し、
第２の制御情報を受信し、
受信した前記ディジタル情報を前記記録媒体に記録し、
前記記録媒体に記録した前記ディジタル情報を再生する際に、前記第２の制御情報に応じて、
再生した前記ディジタル情報の第２の記録媒体へのコピーを許す第１の状態と、
再生した前記ディジタル情報の前記第２の記録媒体へのコピーを許さない第２の状態とを有することを特徴とするディジタル情報記録再生方法。